(57)【要約】【課題】分岐電線と接続されるコネクタを幹線に重ねてかつ方向変換可能に取り付けることができるとともに、部品同士の接続が確実に行えてかつ解離も容易に行えて、永続装備用とオプション用のいずれにも適するコネクタを備えることができるワイヤハーネスを提供すること。【解決手段】幹線３を一巻きにして固定される締結バンド９と、分岐電線と接続されるコネクタ７と、締結バンド９の基部１０とコネクタ７との間で分離可能に連結する連結機構２０と、を備え、連結機構２０は、コネクタ７に一体に設けられた第１の係合部２１と、第１の係合部２１に対してコネクタ７の下面部７ｂに垂直な方向と直交する所要方向に相対移動して係合する第２の係合部２２と、第２の係合部２２に一体に設けられた第３の係合部２３と、締結バンド９の基部１０一体に設けられ、第３の係合部２３に対してスナップ係合する第４の係合部２４と、を有する。【選択図】図５
2016207613.tif 000002
【特許請求の範囲】
【請求項１】
幹線より分岐する複数の分岐電線の各端末に接続端子が設けられた電線群と、
バンド通し孔とバンド係止爪を有する基部の一側よりバンド部が延びる形態であり、前記電線群または電線群外装材を一巻きにして前記電線群または前記電線群外装材に固定される締結バンドと、
複数の接続端子収容孔に前記複数の接続端子を個別に収容するコネクタと、
前記締結バンドの前記基部の上面部と前記コネクタの下面部との間で分離可能に連結する連結機構と、を備え、
前記連結機構は、
前記コネクタの下面部に一体に設けられた第１の係合部と、
前記第１の係合部に対して前記コネクタの下面部に垂直な方向と直交する所要方向に相対移動して係合する第２の係合部と、
前記第２の係合部の下面に一体に設けられた第３の係合部と、
前記締結バンドの前記基部の上面部に一体に設けられ、前記第３の係合部に対して前記コネクタの下面部に垂直な方向に相対移動してスナップ係合する第４の係合部と、を有することを特徴とするワイヤハーネス。
【請求項２】
前記第１の係合部および前記第２の係合部は、前記コネクタの下面部に沿った平面内に、相対的にスライドして係合するように構成されていることを特徴とする請求項１に記載のワイヤハーネス。
【請求項３】
前記第３の係合部および前記第４の係合部は、スナップ嵌合するスナップボタンの雌ボタンおよび雄ボタンであることを特徴とする請求項１または２に記載のワイヤハーネス。
【発明の詳細な説明】
【技術分野】
【０００１】
本発明は、コネクタを電線群の外周面に備えたワイヤハーネスに関する。
【背景技術】
【０００２】
従来、コネクタを電線群の外周面に備えたワイヤハーネスが提案されている（例えば特許文献１〜４参照）。
【０００３】
図７，図８は、特許文献１の図１および図３に示すものと、実質的に同一のコネクタを電線群の外周面に備えたワイヤハーネスを示す。このワイヤハーネス４０は、電線群４１から分岐する分岐電線４２の各端末に設けた接続端子４３がコネクタ４４の接続端子収容孔に差し込まれるとともに、反対側からバスバー４５を差し込まれていることにより、各接続端子４３が相互に電気的に接続しており、コネクタ４４が電線群４１に当てられ粘着テープ４６で巻き付け固着されている。
【０００４】
図９は、特許文献２の図１（Ｂ）に示すものと、実質的に同一のコネクタを電線群の外周面に備えたワイヤハーネスを示す。このワイヤハーネス５０は、取付部品５１と、取付部品５１のコネクタ収容部に上側から押し込み収容され固定爪５１ａで押さえられたコネクタ５２と、電線群５３から分岐する分岐電線５４の各端末に設けられコネクタ５２の接続端子収容孔に差し込まれた接続端子と、コネクタ５２の接続端子収容孔に反対側から差し込まれ接続端子に対してスプライス接続するバスバーと、およびバンド部を取付部品５１の下面に備えたバンド通し枠に通して電線群５３を一巻きして固定する締結バンド５５とを有している。
【０００５】
図１０は、特許文献３の図１（Ｂ）に示すものと、実質的に同一のコネクタを電線群の外周面に備えたワイヤハーネスを示す。このワイヤハーネス６０は、幹線６４に一巻きして固定されるベルトクランプ材６１と、ベルト貫通穴を有しかつベルト貫通穴にベルト部を通したベルトクランプ材６１により幹線６４の外周面に保持されるコネクタ固定材６２と、幹線６４から分岐する支線６５の端末に設けた接続端子が接続端子収容孔に差し込まれたコネクタ６３と、を備え、コネクタ６３がコネクタ固定材６２に差し込み式に係合され、かつコネクタ６３の外面部に設けた係止爪と、コネクタ固定材６２の係止片とが係止する。
【０００６】
図１１は、特許文献４の図２に示すものと、実質的に同一のコネクタを電線群の外周面に備えたワイヤハーネスを示す。このワイヤハーネス７０は、幹線７１から分岐する支線７２と他の幹線から分岐する支線７３とを接続する一対のコネクタ７４ａ，７４ｂと、幹線７１を保持してパネル部材７５に係止する保持係止手段７６と、保持係止手段７６に保持される孔部材７７と、コネクタ７４ａに設けられ、孔部材７７の貫通孔に挿入されることによりコネクタ７４ａを孔部材９４に係止するコネクタ係止手段７８と、を備えている。
【先行技術文献】
【特許文献】
【０００７】
【特許文献１】特開２００９−１７０２８９号公報
【特許文献２】特開２０１２−２４３４７５号公報
【特許文献３】特開平１１−１８２５５号公報
【特許文献４】特開２００１−４５６３６号公報
【発明の概要】
【発明が解決しようとする課題】
【０００８】
しかしながら、図７，図８に示すワイヤハーネス４０は以下の問題があった。粘着テープ４６によりコネクタ４４を電線群４１に巻き付け固着する際に、コネクタ４４を分岐電線４２に対し急に曲げた場合に、分岐電線４２に引き抜き方向の引張力が加わり、コネクタ４４の接続端子収容孔から接続端子４３が抜けてしまう恐れがあった。また、粘着テープ４６を使用しているので、経年劣化により、または真夏の高温時に粘着が緩み、粘着テープ４６が剥がれ、コネクタ４４が電線群４１から離れ、垂れ下がる恐れがある。さらに、製作時に粘着テープ４６を誤って切ってしまい、粘着テープ４６の巻き付けをやり直す恐れもある。
【０００９】
図９〜図１１に示すワイヤハーネス５０，６０，７０にあっては、粘着テープを用いずに、バンドを用いているので、図７に示すワイヤハーネス４０が有している上記欠点を解消しているが、以下の問題があった。
【００１０】
図９に示すワイヤハーネス５０は、コネクタ５２内において、複数の分岐電線５４の各端末に設けられ接続端子同士をバスバーにより短絡するものであり、コネクタ５２は、取付部品５１から取り外し不能であり、取付部品５１も締結バンド５５とコネクタ５２から取り外しが難しい。このため、取付部品５１とコネクタ５２と締結バンド５５との組み合わせ構造は、コネクタ５２をオプション用コネクタとして備えて、オプションの電装品と接続する際に取り外すことができないという問題があった。
【００１１】
図１０に示すワイヤハーネス６０は、コネクタ６３とコネクタ固定材６２との接続が不完全な半嵌合が生じる恐れがあり、またコネクタ６３とコネクタ固定材６２とが接続した後は解離が難しいので、コネクタ６３をオプション用とした場合に、コネクタ６３を取り外して別位置へ移動することが難しいという問題があった。
【００１２】
図１１に示すワイヤハーネス７０は、幹線７１の側方にコネクタ７４を設置するスペースが必要であり、また孔部材７７の貫通孔にコネクタ係止手段７８を挿入する際に、半嵌合が生じる恐れがあり、半嵌合であるか否かの試験が必要となっており、また、抜き治具を用いないと、コネクタ係止手段７８を孔部材７７の貫通孔から脱出させることが難しいという問題があった。
【００１３】
本発明は、上述のような課題を解決するためになされたもので、少ない部品の組み合わせにより、分岐電線と接続されるコネクタを幹線に重ねてかつ方向変換可能に取り付けることができるとともに、部品同士の接続が確実に行えてかつ解離も容易に行えて、永続装備用とオプション用のいずれにも適するコネクタを備えることができるワイヤハーネスを提供することを目的とする。
【課題を解決するための手段】
【００１４】
本発明に係るワイヤハーネスは、上記目的達成のため、幹線より分岐する複数の分岐電線の各端末に接続端子が設けられた電線群と、バンド通し孔とバンド係止爪を有する基部の一側よりバンド部が延びる形態であり、前記電線群または電線群外装材を一巻きにして前記電線群または前記電線群外装材に固定される締結バンドと、複数の接続端子収容孔に前記複数の接続端子を個別に収容するコネクタと、前記締結バンドの前記基部の上面部と前記コネクタの下面部との間で分離可能に連結する連結機構と、を備え、前記連結機構は、前記コネクタの下面部に一体に設けられた第１の係合部と、前記第１の係合部に対して前記コネクタの下面部に垂直な方向と直交する所要方向に相対移動して係合する第２の係合部と、前記第２の係合部の下面に一体に設けられた第３の係合部と、前記締結バンドの前記基部の上面部に一体に設けられ、前記第３の係合部に対して前記コネクタの下面部に垂直な方向に相対移動してスナップ係合する第４の係合部と、を有する構成である。
【００１５】
この構成により、本発明に係るワイヤハーネスは、コネクタと第１の係合部とが一体であり、第２の係合部と第３の係合部とが一体であり、および第４の係合部と締結バンドの基部とが一体であるので、３つの部品の組み合わせることで組み立てられる。本発明に係るワイヤハーネスは、接続端子をコネクタに収容し、一方、締結バンドを電線群または電線群外装材に一巻きに固定し、第１の係合部と第２の係合部とを係合し、第３の係合部と第４の係合部とをスナップ係合することにより、分岐電線の端末に備えるコネクタを幹線上に保持できる。
【００１６】
上記のように、本発明に係るワイヤハーネスは、分岐電線と接続されるコネクタを幹線に重ねてかつ方向変換可能に取り付けることができ、また部品同士の接続が確実に行えてかつ解離も容易に行えて、永続装備用とオプション用のいずれにも適するコネクタを備えることができる。
【００１７】
前記第１の係合部および前記第２の係合部は、前記コネクタの下面部に沿った平面内に、相対的にスライドして係合するように構成することができる。
【００１８】
この構成により、本発明に係るワイヤハーネスは、第１の係合部と前記第２の係合部とを、コネクタの下面部に沿った平面内に、相対的にスライドして係合する適宜の構成を採用することができ、第３の係合部と第４の係合部とのスナップ係合を解離させる力で、第１の係合部と第２の係合部との予期せぬ解離が生ずる恐れはない。
【００１９】
前記第３の係合部および前記第４の係合部は、スナップ嵌合するスナップボタンの雌ボタンおよび雄ボタンとすることができる。
【００２０】
この構成により、本発明に係るワイヤハーネスは、第３の係合部と第４の係合部とを係合させる際には、パチンという音がして接続が確実に行えて、パチンという音がしても半嵌合であるという状態が皆無であり、接続確認テストが不要である。
【発明の効果】
【００２１】
本発明によれば、少ない部品の組み合わせにより、分岐電線と接続されるコネクタを幹線に重ねてかつ方向変換可能に取り付けることができるとともに、部品同士の接続が確実に行えてかつ解離も容易に行えて、永続装備用とオプション用のいずれにも適するコネクタを備えることができるワイヤハーネスを提供することができる。
【図面の簡単な説明】
【００２２】
【図１】図１（Ａ）は本発明の一実施の形態に係るワイヤハーネスを実装途中の状態を示す概略斜視図であり、図１（Ｂ）は実装状態を示す概略斜視図である。
【図２】図２（Ａ）は本発明の一実施の形態に係るワイヤハーネスを構成する締結バンドを示す斜視図であり、図２（Ｂ）は一部を断面して示す締結バンドの側面図である。
【図３】本発明の一実施の形態に係るワイヤハーネスの構成部品を示す斜視図である。
【図４】本発明の一実施の形態に係るワイヤハーネスの実装前の状態を詳細に示す拡大図である。
【図５】本発明の一実施の形態に係るワイヤハーネスの実装状態を詳細に示す拡大図である。
【図６】本発明の一実施の形態に係るワイヤハーネスの他の実装状態を示す平面図である。
【図７】従来の一のワイヤハーネスを示す斜視図である。
【図８】従来の上記一のワイヤハーネスの一部分の詳細を示す拡大断面図である。
【図９】他の従来例に係るワイヤハーネスを示す斜視図である。
【図１０】他の従来例に係るワイヤハーネスを示す斜視図である。
【図１１】他の従来例に係るワイヤハーネスを示す斜視図である。
【発明を実施するための形態】
【００２３】
以下、本発明に係るワイヤハーネスの一実施の形態について、図面を参照して説明する。
【００２４】
［第１の実施の形態］
図１〜図６に示すように、本実施の形態に係るワイヤハーネス１は、電線群２と、コネクタ７と、締結バンド９と、連結機構２０と、を備えている。
【００２５】
電線群２は、幹線３より分岐する複数の分岐電線４の各端末に接続端子６が設けられている。幹線３は、被覆電線である複数のコア線および給電線と、ドレン線の集合であり、複数の分岐電線４は、複数のコア線および給電線と、ドレン線との集合であり、これらを被覆する導電性網筒線であるシースを含む場合がある。
【００２６】
本実施の形態では、電線群２は、幹線３が粘着テープで粗巻きされコルゲートチューブなどの電線群外装材５で被覆されており、電線群外装材５を避けた位置で複数の分岐電線４が幹線３より分岐しており、各分岐電線４の端末に接続端子６を有している。
【００２７】
図３に示すように、コネクタ７は、ＰＥ，ＰＰなどの樹脂成形体であり、一側から他側に貫通している複数の接続端子収容孔７ａを有し、各接続端子収容孔７ａに分岐電線の端末に設けられた各接続端子を個別に収容している。
【００２８】
図２（Ａ），（Ｂ）、図４に示すように、締結バンド９は、ＰＥ，ＰＰなどの樹脂成形体であり、ブロック状の基部１０と、可撓性を有するバンド部１１と、を有する。
【００２９】
基部１０は、一側から他側に貫通しているバンド通し孔１０ａと、バンド通し孔１０ａ内に設けられバンド部１１に形成された鋸刃形の爪部に係合して引き抜けを阻止するバンド係止爪１０ｂとを有する。
【００３０】
バンド部１１は、基部１０の、バンド通し孔１０ａの貫通方向に一側部より延びていて、電線群外装材５を一巻きにして基部１０のバンド通し孔１０ａとバンド係止爪１０ｂとで締結し得る長さを有する。
【００３１】
締結バンド９は、バンド部１１で電線群外装材５（電線群外装材５が存在しない場合には、電線群２）を一巻きにして電線群２または電線群外装材に固定される。
【００３２】
図３〜図５に示すように、連結機構２０は、コネクタ７の下面部７ｂに設けられる第１の係合部２１と、第１の係合部２１と離脱可能に係合する第２の係合部２２と、第２の係合部２２と一体に設けられる第３の係合部２３と、締結バンド９の基部１０の上面部１０ｃに設けられ第３の係合部２３と離脱可能に係合する第４の係合部２４と、を有する。第２の係合部２２と第３の係合部２３は、一体形状の樹脂成形体であり、コネクタ７と締結バンド９のいずれに対しても分離可能に連結する中間接続部材を構成している。
【００３３】
第１の係合部２１は、コネクタ７の下面部７ｂに一体に設けられている。第２の係合部２２は、第１の係合部２１に対してコネクタ７の下面部７ｂに沿った平面内に相対的にスライドして係合するように設けるのがよい。言い換えると、第１の係合部２１および第２の係合部２２は、コネクタ７の下面部７ｂに一体に設けられた第１の係合部２１に対し、コネクタ７の下面部７ｂに垂直な方向と直交する所要方向に相対移動して係合するように設けるのがよい。
【００３４】
図３には、本実施の形態として、第１の係合部２１および第２の係合部２２について、さらに具体的な構造を示している。
【００３５】
コネクタ７の下面部７ｂに一体に設けられた第１の係合部２１は、チャンネル形部を有しかつチャンネル溝の一側を壁部で閉じた雌形係合部としている。チャンネル溝の方向は、コネクタ７の接続端子収容孔７ａの方向に沿っている。チャンネル溝の一側を閉じている壁部は、接続端子収容孔７ａに対する接続端子６を挿入する側に対応して設けられている。
【００３６】
第２の係合部２２は、第３の係合部２３と一体に形成された樹脂成形体のうちの、断面Ｈ形の部分である。第２の係合部２２は、断面Ｈ形の部分のうちの、さらに一部分であるＴ字部を、第１の係合部２１のチャンネル溝内に開放側から進入して強制嵌合する雄形係合部としている。
【００３７】
これにより、第１の係合部２１と第２の係合部２２は、雌形係合部のチャンネル溝と、雄形係合部のＴ字部との係合であり、Ｔ字部をチャンネル溝が開いている側から該チャンネル溝に進入することにより強制嵌合するようになっている。なお、第１の係合部２１が雄形係合部であり、第２の係合部２２が雌形係合部であってもよい。
【００３８】
第３の係合部２３は、スナップ嵌合するスナップボタンの雄ボタンであり、第４の係合部２４は、スナップボタンの雌ボタンであり、締結バンド９の基部１０の上面部１０ｃに一体に設けられている。なお、第３の係合部２３および第４の係合部２４と、雌ボタンおよび雄ボタンが逆の関係で設けられてもよい。
【００３９】
第３の係合部２３と、第４の係合部２４とは、締結バンド９の基部１０の上面部１０ｃに垂直な方向、およびコネクタ７の下面部７ｂに垂直な方向に相対移動してパチンと音がしてスナップ係合する。第３の係合部２３と、第４の係合部２４とは、雌ボタンと雄ボタンとのスナップ嵌合であるので、スナップ嵌合する力の作用方向と逆の方向に嵌合離脱力を加えることにより解離する。
【００４０】
本実施の形態に係るワイヤハーネス１は、幹線３より分岐する複数の分岐電線４の各端末に設けられた接続端子６をコネクタ７の複数の接続端子収容孔７ａに個別に収容し、一方、締結バンド９で電線群２または電線群外装材５を一巻きに固定し、第１の係合部２１と第２の係合部２２とをコネクタ７の下面部７ｂに垂直な方向と直交する所要方向に相対移動して係合し、第３の係合部２３と第４の係合部２４とをコネクタ７の下面部７ｂに垂直な方向に相対移動してスナップ係合することにより、分岐電線４の端末に備えるコネクタ７を幹線３上に保持できる。
【００４１】
本実施の形態に係るワイヤハーネス１は、コネクタ７と第１の係合部２１とが一体であり、第２の係合部２２と第３の係合部２３とが一体であり、および第４の係合部２４と締結バンド９の基部１０とが一体であるので、３つの部品の組み合わせにより、組み立てられ、第１の係合部２１と第２の係合部２２とを強制嵌合させると、実質的に２つの部品の組み合わせにより、組み立てられ、分岐電線４の端末に備えるコネクタ７を幹線３上に保持できる。
【００４２】
本実施の形態に係るワイヤハーネス１は、第３の係合部２３と第４の係合部２４とをコネクタ７の下面部７ｂに垂直な方向に相対移動してスナップ係合を解離させることができ、この際のスナップ係合を解離させる力は、第１の係合部２１と第２の係合部２２との係合を解離させる方向には作用しない。
【００４３】
本実施の形態に係るワイヤハーネス１は、分岐電線４と接続されるコネクタ７を幹線３に重ねてかつ方向変換可能に取り付けることができ、また部品同士の接続が確実に行えてかつ解離も容易に行えて、永続装備用とオプション用のいずれにも適するコネクタ７を備えることができる。
【００４４】
本実施の形態に係るワイヤハーネス１は、第１の係合部２１と第２の係合部２２とを、コネクタ７の下面部７ｂに沿った平面内に、相対的にスライドして係合する適宜の構成を採用することができ、第３の係合部２３と第４の係合部２４とのスナップ係合を解離させる力で、第１の係合部２１と第２の係合部２２との予期せぬ解離が生ずる恐れはない。
【００４５】
本実施の形態に係るワイヤハーネス１は、第３の係合部２３と第４の係合部２４とを係合させる際には、パチンという音がして接続が確実に行えて、パチンという音がしても半嵌合であるという状態が皆無であり、接続確認テストが不要である。
【００４６】
本実施の形態に係るワイヤハーネス１は、図６に示すように、配索経路および配索スペースなどとの関係で、幹線３からの分岐電線４の分岐位置が下側に来て、コネクタ７を幹線３の上側に重ねて取り付けるときには、分岐電線４のコネクタ７に向かう方向がコネクタ７の近くで幹線３の方向と異なる状態で、接続端子６がコネクタ７に接続されることになる。このとき、本実施の形態に係るワイヤハーネス１は、第３の係合部２３と第４の係合部２４との係合が、スナップボタンによる係合なので、コネクタ７が平面視において回動でき、コネクタ７の向きを接続端子６の向きに合わせることができ、接続端子６に引き抜き作用が生じる力が加わらない。
【００４７】
本実施の形態に係るワイヤハーネス１は、分岐電線４と接続されるコネクタ７をディーラーにおいてユーザの希望を聞いてオプションの電装品を装備する場合には、コネクタ７に収容されている接続端子６を引き抜いてオプションの電装品に接続することができる。
【００４８】
本実施の形態に係るワイヤハーネス１は、使用しない接続端子６は、コネクタ７に収容したままとする。また、図示していないが、標準装備の電装品について、コネクタ７に収容されている接続端子６をそのまま使用する場合には、当該接続端子６が収容されているコネクタ接続端子収容孔７ａに、接続端子６とは反対側から、他の接続端子を差し込んで接続端子６と接続し、当該他の接続端子とつながっている延長電線の他端末に設けられる接続端子を標準装備の電装品に接続する方法をとることができる。
【００４９】
本発明によれば、少ない部品の組み合わせにより、分岐電線と接続されるコネクタを幹線に重ねてかつ方向変換可能に取り付けることができるとともに、部品同士の接続が確実に行えてかつ解離も容易に行えて、永続装備用とオプション用のいずれにも適するコネクタを備えることができるという効果を有し、車両に配設するワイヤハーネスの全般に有用である。
【符号の説明】
【００５０】
１，１Ａ  ワイヤハーネス
２  電線群
３  幹線
４  分岐電線
５  電線群外装材
６  接続端子
７  コネクタ
７ａ  接続端子収容孔
７ｂ  下面部
９  締結バンド
１０  基部
１０ａ  バンド通し孔
１０ｂ  バンド係止爪
１０ｃ  上面部
１１  バンド部
２０  連結機構
２１，２１Ａ  第１の係合部
２２，２２Ａ  第２の係合部
２３  第３の係合部
２４  第４の係合部
【図１】
2016207613.tif 000003
【図２】
2016207613.tif 000004
【図３】
2016207613.tif 000005
【図４】
2016207613.tif 000006
【図５】
2016207613.tif 000007
【図６】
2016207613.tif 000008
【図７】
2016207613.tif 000009
【図８】
2016207613.tif 000010
【図９】
2016207613.tif 000011
【図１０】
2016207613.tif 000012
【図１１】
2016207613.tif 000013